(57)【要約】【課題】カードを案内するためのカード案内機構のスライド部材を案内するガイド面に膨出部を形成することによって、カードを排出する際に、スライド部材が膨出部に当接して速度が低下し、カードが飛出してしまうことがなく、スライド部材が停止するときに衝撃が発生することがないようにする。【解決手段】ハウジング又はケースは、膨出部が形成され、スライド部材を案内するガイド面を備え、スライド部材は、カードを排出する際に、膨出部と当接することによって減速し、ハウジングのストッパ部と当接することによって停止し、スライド部材が傾動してカードの保持を解除し得る状態になる。【選択図】図１
2008016391.tif 000002
【特許請求の範囲】
【請求項１】
（ａ）端子部材（１５１）を備えるカード（１０１）を収容するハウジング（１１）と、
（ｂ）該ハウジング（１１）に取付けられ、前記カード（１０１）の端子部材（１５１）と接触する接続端子（５１）と、
（ｃ）前記ハウジング（１１）に挿入されたカード（１０１）を保持してスライドするスライド部材（２１）、及び、該スライド部材（２１）をカード（１０１）の挿入方向と反対の方向に付勢する付勢部材（８１）を備え、該付勢部材（８１）の付勢力によって、前記スライド部材（２１）を終端点から前記挿入方向と反対の方向に移動させてカード（１０１）を排出するカード案内機構と、
（ｄ）前記ハウジング（１１）に取付けられ、少なくともスライド部材（２１）及びハウジング（１１）に挿入されたカード（１０１）の一部を覆うケース（６１）とを有するカード用コネクタ（１）であって、
（ｅ）前記ハウジング（１１）又はケース（６１）は、膨出部（１１ｊ）が形成され、前記スライド部材（２１）を案内するガイド面を備え、
（ｆ）前記スライド部材（２１）は、前記カード（１０１）を排出する際に、前記膨出部（１１ｊ）と当接することによって減速し、前記ハウジング（１１）のストッパ部（１１ｇ）と当接することによって停止し、スライド部材（２１）が傾動して該カード（１０１）の保持を解除し得る状態になることを特徴とするカード用コネクタ（１）。
【請求項２】
（ａ）端子部材（１５１）を備えるカード（１０１）を収容するハウジング（１１）と、
（ｂ）該ハウジング（１１）に取付けられ、前記カード（１０１）の端子部材（１５１）と接触する接続端子（５１）と、
（ｃ）前記ハウジング（１１）に挿入されたカード（１０１）を保持してスライドするスライド部材（２１）、及び、該スライド部材（２１）をカード（１０１）の挿入方向と反対の方向に付勢する付勢部材（８１）を備え、該付勢部材（８１）の付勢力によって、前記スライド部材（２１）を終端点から前記挿入方向と反対の方向に移動させてカード（１０１）を排出するカード案内機構と、
（ｄ）前記ハウジング（１１）に取付けられ、少なくともスライド部材（２１）及びハウジング（１１）に挿入されたカード（１０１）の一部を覆うケース（６１）とを有するカード用コネクタ（１）であって、
（ｅ）前記ハウジング（１１）又はケース（６１）は、前記スライド部材（２１）を前記挿入方向及び挿入方向と反対の方向に案内するガイド面を備え、
（ｆ）該ガイド面に、前記スライド部材（２１）の移動により当接してそのスライド部材（２１）を減速させ、前記ハウジング（１１）又はケース（６１）に対して回動可能となるようガイド面からスライド部材（２１）を離間させる膨出部（１１ｊ）が形成されていることを特徴とするカード用コネクタ（１）。
【請求項３】
前記スライド部材（２１）は、前記ハウジング（１１）のストッパ部（１１ｇ）と当接することによって停止すると傾動し、前記カード（１０１）が引出されることによって更に傾動して該カード（１０１）の保持を解除し得る状態になる請求項１に記載のカード用コネクタ（１）。
【請求項４】
前記膨出部（１１ｊ）は、前記端子部材（１５１）が接続端子（５１）と非接触となった後にスライド部材（２１）と当接する部位に形成されている請求項１又は２に記載のカード用コネクタ（１）。
【請求項５】
（ａ）前記スライド部材（２１）は、前記カード（１０１）と当接して押圧力を伝達するカード押圧部（２１ｃ）、前記カード（１０１）の凹部（１１２）と係合するカードロック部（２１ｄ）、前記付勢部材（８１）の付勢力が作用する付勢力受部（２１ｉ）、及び、前記ストッパ部（１１ｇ）に当接して前記挿入方向と反対の方向の移動を停止させるストッパ当接部（２１ｆ）を備え、
（ｂ）前記カード押圧部（２１ｃ）、カードロック部（２１ｄ）、付勢力受部（２１ｉ）及びストッパ当接部（２１ｆ）が前記スライド部材（２１）に一体的に形成されるとともに、前記付勢力受部（２１ｉ）とストッパ当接部（２１ｆ）とがオフセットされている請求項１に記載のカード用コネクタ（１）。
【請求項６】
（ａ）前記スライド部材（２１）は、カムフォロワ（７１）と係合するスライドカム部（２１ｂ）、前記カード（１０１）と当接して押圧力を伝達するカード押圧部（２１ｃ）、前記カード（１０１）の凹部（１１２）と係合するカードロック部（２１ｄ）、前記付勢部材（８１）の付勢力が作用する付勢力受部（２１ｉ）、及び、前記ストッパ部（１１ｇ）に当接して前記挿入方向と反対の方向の移動を停止させるストッパ当接部（２１ｆ）を備え、
（ｂ）前記スライドカム部（２１ｂ）、カード押圧部（２１ｃ）、カードロック部（２１ｄ）、付勢力受部（２１ｉ）及びストッパ当接部（２１ｆ）が前記スライド部材（２１）に一体的に形成されるとともに、前記付勢力受部（２１ｉ）とストッパ当接部（２１ｆ）とがオフセットされている請求項１に記載のカード用コネクタ（１）。
【請求項７】
前記カードロック部（２１ｄ）は、前記スライド部材（２１）が傾動すると、前記カード（１０１）の凹部（１１２）との係合を解除する請求項５又は６に記載のカード用コネクタ（１）。
【発明の詳細な説明】
【技術分野】
【０００１】
本発明は、カード用コネクタに関するものである。
【背景技術】
【０００２】
従来、パーソナルコンピュータ、携帯電話機、ＰＤＡ（Ｐｅｒｓｏｎａｌ  Ｄｉｇｉｔａｌ  Ａｓｓｉｓｔａｎｔ）、デジタルカメラ、ビデオカメラ、音楽プレーヤ、ゲーム機、車両用ナビゲーション装置等の電子機器においては、ＳＩＭ（Ｓｕｂｓｃｒｉｂｅｒ  Ｉｄｅｎｔｉｔｙ  Ｍｏｄｕｌｅ）カード、ＭＭＣ（Ｒ）（Ｍｕｌｔｉ  Ｍｅｄｉａ  Ｃａｒｄ）、ＳＤ（Ｒ）（Ｓｅｃｕｒｅ  Ｄｉｇｉｔａｌ）カード、ｍｉｎｉＳＤ（Ｒ）カード、ｘＤピクチャーカード（Ｒ）（ｘＤ−Ｐｉｃｔｕｒｅ  ｃａｒｄ）、メモリスティック（Ｒ）、メモリスティックＤｕｏ（Ｒ）、スマートメディア（Ｒ）、ＴｒａｎｓＦｌａｓｈ（Ｒ）メモリカード、マイクロＳＤ（Ｒ）カード等の各種メモリカードを利用するために、カード用コネクタを備えている。
【０００３】
近年のカード用コネクタは、使い勝手の観点から、メモリカードを挿入する際にも取外す際にもメモリカードを押込むように操作するプッシュ／プッシュ構造を有するものが一般的である。しかし、プッシュ／プッシュ構造を有するカード用コネクタでは、メモリカードを排出する際にスプリングの反発力によって、メモリカードを係合して保持するスライド部材を移動させるようになっているが、メモリカードとスライド部材との係合が解除されないので、メモリカードを取外しにくいことがある。そこで、スライド部材にカードロック部材を移動可能に取付け、メモリカードを排出する際にはカードロック部材を移動させてメモリカードとの係合を解除する技術が提案されている（例えば、特許文献１参照。）。
【０００４】
図８は従来のカード用コネクタを示す図である。
【０００５】
図において、８０１はカード用コネクタのハウジングの側方に取付けられたスライド部材であり、係合突起８０３及びカードロック部材８０４が図示されないメモリカードと係合することによって、該メモリカードを保持しながら図における上下方向にスライドする。なお、前記スライド部材８０１は、コイルスプリング８０２によってメモリカードの排出方向（図における下方向）に付勢されている。ここで、スライド部材８０１の上面には窪（くぼ）み８０５が形成され、カードロック部材８０４は、窪み８０５内に収容されており、その上端がスライド部材８０１にピボット結合されることによって、前記上端を中心に回動する。そして、窪み８０５の左側面に形成された開口８０６から、カードロック部材８０４の下端に形成された係合部８０４ａがハウジング内部に向けて突出し、メモリカード側面の凹部と係合するようになっている。
【０００６】
また、係合部８０４ａの先端は、ハウジング底面方向に突出しており、該ハウジング底面に形成されたカードガイド８０７の側面に形成された傾斜面８０８に当接する。そのため、ハウジングからメモリカードを排出する際に、スライド部材８０１がコイルスプリング８０２によってメモリカードの排出方向に移動させられると、係合部８０４ａの先端が傾斜面８０８に沿って移動するので、係合部８０４ａはメモリカード側面から離れる方向に移動させられる。これにより、係合部８０４ａとメモリカード側面の凹部との係合が解除されるので、メモリカードは、スライド部材８０１による保持から解放され、取外すことができる。
【特許文献１】特開２００３−６５７６号公報
【発明の開示】
【発明が解決しようとする課題】
【０００７】
しかしながら、前記従来のカード用コネクタは、メモリカードを排出する際にコイルスプリング８０２の付勢力によってメモリカードをスライドさせるので、メモリカードや該メモリカードを保持するスライド部材８０１の移動速度が高くなり、メモリカードが勢いよく飛出してしまうため、メモリカードの落下による損失や紛失することがある。さらに、スライド部材８０１が図示されないストッパ部材に衝突して衝撃が発生し、カードが破損したり、カード内部の電子部品等を損傷したりしてしまうことがある。
【０００８】
本発明は、前記従来のカード用コネクタの問題点を解決して、カードを案内するためのカード案内機構のスライド部材を案内するガイド面に膨出部を形成することによって、カードを排出する際に、スライド部材が膨出部に当接して速度が低下し、カードが飛出してしまうことがなく、スライド部材が停止するときに衝撃が発生することがないカード用コネクタを提供することを目的とする。
【課題を解決するための手段】
【０００９】
そのために、本発明のカード用コネクタにおいては、端子部材を備えるカードを収容するハウジングと、該ハウジングに取付けられ、前記カードの端子部材と接触する接続端子と、前記ハウジングに挿入されたカードを保持してスライドするスライド部材、及び、該スライド部材をカードの挿入方向と反対の方向に付勢する付勢部材を備え、該付勢部材の付勢力によって、前記スライド部材を終端点から前記挿入方向と反対の方向に移動させてカードを排出するカード案内機構と、前記ハウジングに取付けられ、少なくともスライド部材及びハウジングに挿入されたカードの一部を覆うケースとを有するカード用コネクタであって、前記ハウジング又はケースは、膨出部が形成され、前記スライド部材を案内するガイド面を備え、前記スライド部材は、前記カードを排出する際に、前記膨出部と当接することによって減速し、前記ハウジングのストッパ部と当接することによって停止し、スライド部材が傾動して該カードの保持を解除し得る状態になる。
【００１０】
また、本発明のカード用コネクタにおいては、前記ハウジング又はケースは、前記スライド部材を前記挿入方向及び挿入方向と反対の方向に案内するガイド面を備え、該ガイド面に、前記スライド部材の移動により当接してそのスライド部材を減速させ、前記ハウジング又はケースに対して回動可能となるようガイド面からスライド部材を離間させる膨出部が形成されている。
【００１１】
この膨出部によりスライド部材がハウジング又はケースに対して回動可能となり、カードをこのコネクタへ装着あるいはコネクタから取出そうとするとき、カードの保持を容易に解除することができる。
【００１２】
本発明の更に他のカード用コネクタにおいては、さらに、前記スライド部材は、前記ハウジングのストッパ部と当接することによって停止すると傾動し、前記カードが引出されることによって更に傾動して該カードの保持を解除し得る状態になる。
【００１３】
本発明の他のカード用コネクタにおいては、さらに、前記膨出部は、前記端子部材が接続端子と非接触となった後にスライド部材と当接する部位に形成されている。
【００１４】
本発明の更に他のカード用コネクタにおいては、さらに、前記スライド部材は、前記カードと当接して押圧力を伝達するカード押圧部、前記カードの凹部と係合するカードロック部、前記付勢部材の付勢力が作用する付勢力受部、及び、前記ストッパ部に当接して前記挿入方向と反対の方向の移動を停止させるストッパ当接部を備え、前記カード押圧部、カードロック部、付勢力受部及びストッパ当接部が前記スライド部材に一体的に形成されるとともに、前記付勢力受部とストッパ当接部とがオフセットされている。
【００１５】
本発明の更に他のカード用コネクタにおいては、さらに、前記スライド部材は、カムフォロワと係合するスライドカム部、前記カードと当接して押圧力を伝達するカード押圧部、前記カードの凹部と係合するカードロック部、前記付勢部材の付勢力が作用する付勢力受部、及び、前記ストッパ部に当接して前記挿入方向と反対の方向の移動を停止させるストッパ当接部を備え、前記スライドカム部、カード押圧部、カードロック部、付勢力受部及びストッパ当接部が前記スライド部材に一体的に形成されるとともに、前記付勢力受部とストッパ当接部とがオフセットされている。
【００１６】
本発明の更に他のカード用コネクタにおいては、さらに、前記カードロック部は、前記スライド部材が傾動すると、前記カードの凹部との係合を解除する。
【発明の効果】
【００１７】
本発明によれば、カード用コネクタは、カードを案内するためのカード案内機構のスライド部材を案内するガイド面に形成された膨出部を有する。これにより、カードを排出する際に、スライド部材が膨出部に当接して速度が低下し、カードが飛出してしまうことがなく、スライド部材が停止するときに衝撃が発生することがない。
【発明を実施するための最良の形態】
【００１８】
以下、本発明の実施の形態について図面を参照しながら詳細に説明する。
【００１９】
図１は本発明の実施の形態におけるカード用コネクタのシェルを取除いた状態を示す斜視図、図２は本発明の実施の形態におけるカード用コネクタを示す斜視図、図３は本発明の実施の形態におけるカード用コネクタの構造を示す分解図、図４は本発明の実施の形態におけるカード用コネクタを他の方向から観た状態を示す斜視図である。
【００２０】
図において、１は本実施の形態におけるカード用コネクタであり、図示されない電子機器に取付けられる。そして、前記カード用コネクタ１の内部にはカード１０１が挿入され、前記カード用コネクタ１を介して、前記電子機器にカード１０１が装着される。なお、前記電子機器は、例えば、パーソナルコンピュータ、携帯電話機、ＰＤＡ、デジタルカメラ、ビデオカメラ、音楽プレーヤ、ゲーム機、車両用ナビゲーション装置等であるが、いかなる種類の機器であってもよい。
【００２１】
また、前記カード１０１は、概略長方形の板状の形状を備え、合成樹脂等の絶縁性材料によって一体的に成形されたカードハウジング１１１を有し、該カードハウジング１１１の一方の表面には、図２に示されるように、前端寄りの部分に端子部材としてのコンタクトパッド１５１が複数個露出して配設されている。そして、前記カード１０１は、一方の側面の前端寄りの部分に形成された切欠部１１３、及び、前記側面における切欠部１１３よりも後端寄りの部分に形成された凹部１１２を有する。また、前記側面に対向する他方の側面は、切欠部も凹部も形成されておらず、直線状に前記カード１０１の挿入方向に延在する。
【００２２】
さらに、前記カード１０１は、前記一方の側面に、切欠部１１３と凹部１１２とによって画定された係合用凸部１１４を備える。該係合用凸部１１４の前側係合面１１４ａは、切欠部１１３によって画定され、前記カード１０１の挿入方向に対して傾斜したテーパ面となっている。また、係合用凸部１１４の後側係合面１１４ｂは、凹部１１２によって画定され、前記カード１０１の挿入方向に対して垂直な面となっている。
【００２３】
本実施の形態において、前記カード１０１は、例えば、ＭＭＣ（Ｒ）、ＳＤ（Ｒ）カード、ｍｉｎｉＳＤ（Ｒ）カード、ｘＤピクチャーカード（Ｒ）、メモリスティック（Ｒ）、メモリスティックＤｕｏ（Ｒ）、スマートメディア（Ｒ）、ＴｒａｎｓＦｌａｓｈ（Ｒ）メモリカード、マイクロＳＤ（Ｒ）カード等のものであるが、ここでは、マイクロＳＤ（Ｒ）カードであるものとして説明する。
【００２４】
また、本実施の形態において、カード用コネクタ１の各部の構成及び動作を説明するために使用される上、下、左、右、前、後等の方向を示す表現は、絶対的なものでなく相対的なものであり、カード用コネクタ１又はその部品が図に示される姿勢である場合に適切であるが、カード用コネクタ１又はその部品の姿勢が変化した場合には、姿勢の変化に応じて変更して解釈されるべきものである。
【００２５】
ここで、前記カード用コネクタ１は、合成樹脂等の絶縁性材料によって一体的に成形され、前記カード１０１を収容するハウジング１１と、金属等の導電性材料から成る板材に打抜き、折曲げ等の加工を施すことによって成形され、ハウジング１１の上側に取付けられたケースとしてのシェル６１とを有する。前記カード用コネクタ１は、図２及び４に示されるように、概略、扁（へん）平な直方体形状を備え、前記電子機器に取付けられ、手前側（図２における左下方）からカード１０１が挿入される。ここでは、該カード１０１のコンタクトパッド１５１が配設された面が上になるような向きで、カード用コネクタ１に挿入されるものとして説明する。
【００２６】
また、図１は、説明のためにシェル６１を除去した状態のカード用コネクタ１を示す図である。図１に示されるように、ハウジング１１は、カード１０１の挿入方向に関して手前側（図１における左下側）が略Ｕ字状に切取られた形状を備える底壁部１１ａ、及び、該底壁部１１ａの奥部において奥側の縁に沿って延在し、底壁部１１ａから立設する後壁部１１ｂを有する。ここで、該後壁部１１ｂには、前後方向に貫通するように形成された端子装填孔（そうてんこう）１１ｅが複数形成され、各端子装填孔１１ｅに接続端子としての端子５１の本体部５１ａが挿入されて取付けられている。そして、前記端子５１は、ハウジング１１の前縁側に向けて延在し、先端近傍に下方に突出する接触部５１ｂが形成され、カード１０１の上向きの面に配設されたコンタクトパッド１５１に接触して電気的に接続される。また、前記端子５１の本体部５１ａの根本から屈曲して延在するソルダーテール部５１ｃは、底壁部１１ａの後側の縁から後方に向けて突出し、前記電子機器における配線基板等に形成された信号線、コンタクトパッド、端子等、すなわち、相手側端子部材に、はんだ付等によって電気的に接続される。
【００２７】
そして、ハウジング１１は、底壁部１１ａの一方の側縁に沿って前後方向に延在する側部としての第１側部１１ｃ、及び、底壁部１１ａの他方の側縁に沿って前後方向に延在する側部としての第２側部１１ｄを有する。
【００２８】
ここで、前記カード用コネクタ１は、カード用コネクタ１内にカード１０１を挿入する際にも、カード用コネクタ１内からカード１０１を取出す際にも、カード１０１を押込む動作を必要とする、いわゆる、プッシュインプッシュアウトタイプ、又は、プッシュ／プッシュタイプと通称されるものである。そのため、第１側部１１ｃには、カード用コネクタ１内に挿入されたカード１０１を案内するためのカード案内機構のスライド部材２１が前後方向、すなわち、カード１０１の挿入方向にスライド可能に取付けられている。また、底壁部１１ａの上面には第１側部１１ｃに沿って収容凹部１１ｉが形成され、該収容凹部１１ｉ内に前記スライド部材２１がスライド可能に収容される。
【００２９】
そして、該スライド部材２１は、カード１０１を保持するためのカード保持部２１ａと、プッシュ／プッシュタイプの動作を行うためのカム機構におけるスライドカムとして機能するスライドカム部２１ｂとから成る。なお、前記カード保持部２１ａとスライドカム部２１ｂとは一体的に形成されている。そして、前記カード保持部２１ａは、カード１０１と当接して押圧力を伝達するカード押圧部２１ｃ、及び、前記カード１０１の凹部１１２と係合するカードロック部２１ｄを備える。具体的には、カード押圧部２１ｃは、カード１０１の一方の側面に形成された係合用凸部１１４におけるカード１０１の挿入方向前方の縁部としての前側係合面１１４ａと当接して押圧力を伝達し、カードロック部２１ｄは、前記係合用凸部１１４におけるカード１０１の挿入方向後方の縁部としての後側係合面１１４ｂと係合する。前記カード押圧部２１ｃ及びカードロック部２１ｄは、スライド部材２１のカード係合部として機能し、ハウジング１１の内側方向に向けて突出するように、カード保持部２１ａの一部として一体的に形成されている。そして、スライド部材２１は、カード保持部２１ａのカード押圧部２１ｃ及びカードロック部２１ｄによってカード１０１を保持し、該カード１０１とともに前後方向に移動する。
【００３０】
また、カード保持部２１ａにおけるカード１０１の挿入方向前方の端面は、コイルスプリングから成る付勢部材８１の付勢力を受ける付勢力受部２１ｉとして機能し、付勢部材８１を係止する付勢部材係止突起２１ｈを備え、付勢部材８１の一端が取付けられている。また、該付勢部材８１の他端は、後壁部１１ｂの係止部１１ｆに取付けられている。なお、該係止部１１ｆも付勢部材８１を係止する図示されない付勢部材係止突起を備える。これにより、前記スライド部材２１は、付勢部材８１によって、カード１０１の挿入方向と反対の方向、すなわち、カード１０１の排出方向に常に付勢される。
【００３１】
一方、前記スライドカム部２１ｂは、カード保持部２１ａの外側の側面、すなわち、ハウジング１１の外側方向を向く側面に接続され、カード１０１の挿入方向前方に延在する。そして、スライドカム部２１ｂの上面には、スライドカムとしてのカム溝２１ｅが形成され、該カム溝２１ｅにはカムフォロワとしての細長いピン部材７１の一端が係合している。なお、図１では、説明の都合上、ピン部材７１の図示が省略されている。
【００３２】
また、該ピン部材７１の他端は、ハウジング１１の第１側部１１ｃの前端に形成されたストッパ部１１ｇの上面に形成されたピン係止部１１ｋに係合し、ピボット結合されている。そして、前記ピン部材７１とカム溝２１ｅとが協働することによって、カード１０１とともに移動するスライド部材２１にプッシュ／プッシュの動作を行わせるようになっている。これにより、前記カード案内機構は、カード１０１を挿入方向に押込むプッシュ動作によってカード１０１が挿入方向に移動して終端点まで到達すると、前記付勢部材８１の付勢力によって、前記カード１０１を終端点から挿入方向と反対の方向に移動させて排出することができる。なお、前記ピン部材７１及びカム溝２１ｅから成るプッシュ／プッシュの動作を行うためのカム機構は従来周知であるので、その説明を省略する。
【００３３】
前記ストッパ部１１ｇにおけるカード１０１の挿入方向前方の端面は、カード１０１を排出させるように移動するスライド部材２１を停止させるためのストッパ面として機能する。そして、付勢部材８１の付勢力によって、スライド部材２１がカード１０１の挿入方向と反対の方向に移動させられてカード１０１が排出される際には、スライド部材２１におけるカード１０１の挿入方向後方の端面がストッパ面として機能し、前記ストッパ部１１ｇのストッパ面に当接することによって、スライド部材２１が停止させられる。なお、前記ストッパ部１１ｇのストッパ面には係合突起１１ｈが形成され、スライド部材２１のストッパ面には係合突起２１ｇが形成され、スライド部材２１がストッパ部１１ｇに当接している状態においては、前記係合突起１１ｈと係合突起２１ｇとが互いに係合する。
【００３４】
ここで、カード１０１をカード用コネクタ１に挿入する前の初期状態において、スライド部材２１は、付勢部材８１の付勢力によってカード１０１の挿入方向と反対の方向に付勢され、ストッパ部１１ｇに押付けられて停止している。ここで、付勢部材８１の付勢力を受ける付勢力受部２１ｉはカード保持部２１ａの端面であるのに対し、ストッパ部１１ｇのストッパ面と当接するストッパ当接部２１ｆは、カード保持部２１ａの外側の側面に接続されたスライドカム部２１ｂの端面である。すなわち、ストッパ当接部２１ｆは、付勢部材８１の付勢力の作用方向（ハウジング１１の前後方向）に関して、付勢力受部２１ｉの横方向に位置している。更に換言すると、付勢部材８１から受ける付勢力の作用点である付勢力受部２１ｉと、ストッパ部１１ｇから受ける前記付勢力の反力の作用点であるストッパ当接部２１ｆとは、オフセットされている。そのため、後述されるように、スライド部材２１を上から観て時計回り方向に回転させる回転モーメントが発生し、スライド部材２１は、その周囲にカード用コネクタ１の幅方向の十分な遊びが用いられているため時計回り方向に回転させられ、傾いた状態になる。すなわち、この初期状態において、カード保持部２１ａの長手方向の軸及びスライドカム部２１ｂの長手方向の軸が、ストッパ部１１ｇから受ける前記付勢力の反力の作用点であるストッパ当接部２１ｆを中心として、ハウジング１１の前後方向に対して時計回り方向に傾く。
【００３５】
また、スライド部材２１は、カード１０１とともに前後方向にスライドする際には、傾きが元に戻った状態で、すなわち、カード保持部２１ａの長手方向の軸及びスライドカム部２１ｂの長手方向の軸がハウジング１１の前後方向に平行となった状態でスライドする。この場合、スライド部材２１は第１側部１１ｃの内壁に沿ってスライドする、すなわち、第１側部１１ｃの内壁がスライド部材２１を案内するガイド面として機能する。そして、前記第１側部１１ｃの内壁に、スライド部材２１の減速用部材として機能する膨出部１１ｊが形成されている。付勢部材８１の付勢力によってカード１０１の挿入方向と反対の方向に移動させられる際に、第１側部１１ｃの内壁に沿ってスライドするスライド部材２１は、前記膨出部１１ｊに接しその側圧を受けることによって減速する。
【００３６】
前記膨出部１１ｊは、スライド部材２１を案内するガイド面として機能する面であれば、第１側部１１ｃの内壁以外の部位に形成することもできる。例えば、収容凹部１１ｉの上面に形成してもよいし、前記ガイド面として機能するシェル６１の天井面に形成してもよい。本実施の形態においては、前記スライド部材２１のガイド面から離れる方向、つまり移動方向がカード用コネクタ１の幅方向となるように、前記膨出部１１ｊは第１側部１１ｃの内壁に形成されている場合について説明する。
【００３７】
また、スライド部材２１のスライド方向、すなわち、前後方向に関して、前記膨出部１１ｊが配設される部位は、カード１０１が排出される際に、コンタクトパッド１５１が端子５１の接触部５１ｂと実際に非接触となった後に、スライド部材２１と膨出部１１ｊとが当接するように設定されることが望ましい。これは、前記膨出部１１ｊがスライド部材２１と当接する際の抵抗によって付勢部材８１の付勢力を削減してスライド部材２１を減速する部材であるところ、コンタクトパッド１５１が端子５１の接触部５１ｂと接触している間には、その摩擦力によって付勢部材８１の付勢力が削減されているのであるから、コンタクトパッド１５１が端子５１の接触部５１ｂと接触している間にスライド部材２１と膨出部１１ｊとが当接してしまうと、付勢部材８１の付勢力の削減量が大きくなり過ぎ、カード１０１の排出が円滑に行われるようにするためには、却（かえ）って、付勢部材８１の付勢力を増強する必要が生じるためである。
【００３８】
本実施の形態においては、コンタクトパッド１５１が端子５１の接触部５１ｂと実際に非接触となった後に、スライド部材２１と当接するような部位に膨出部１１ｊが配設されているので、付勢部材８１の付勢力を増強する必要がない。そのため、カード１０１を排出する際に、スライド部材２１が適切に減速され、カード１０１が飛出してしまうことがない。また、スライド部材２１がストッパ部１１ｇに当接して停止するときに衝撃が発生することもない。
【００３９】
また、第２側部１１ｄには、スイッチを形成する第１接点部材５２及び第２接点部材５３が取付けられている。前記第１接点部材５２と第２接点部材５３とは、相互に接離することによって、導通及び非導通の状態となり、スイッチとして機能する。ここで、該スイッチは、カード用コネクタ１にカード１０１が適切に挿入されたことを検知する検知スイッチ、カード１０１に新たな情報を書込むことを禁止するライトプロテクトスイッチ等、様々な用途に使用され得るものであるが、本実施の形態においては、検知スイッチとして使用されるものであるとして説明する。より詳細には、側面壁設置型であり、初期ＯＦＦタイプの検知スイッチとして使用されるものであるとして説明する。
【００４０】
そして、前記第１接点部材５２は、第２側部１１ｄに取付けられた根本部５２ａ、及び、該根本部５２ａから後壁部１１ｂの方向に向けて延在する細長い板状のカンチレバーのような形状の本体部５２ｂを有する。なお、前記第１接点部材５２は、金属等のばね性を備えた導電性材料から成る板材に打抜き、折曲げ等の加工を施すことによって成形された部材である。そして、第１接点部材５２の本体部５２ｂ及び根本部５２ａは、第２側部１１ｄの側面とほぼ平行となるように配設されている。
【００４１】
また、前記第２接点部材５３は、第２側部１１ｄに取付けられた細長い板状の上側部５３ｂ、及び、該上側部５３ｂの一端から後壁部１１ｂの方向に向けて延在する細長い板状のカンチレバーのような形状の下側部５３ｃを有する。なお、前記第２接点部材５３は、金属等のばね性を備えた導電性材料から成る板材に打抜き、折曲げ等の加工を施すことによって成形された部材であり、前記上側部５３ｂ及び下側部５３ｃが第２側部１１ｄの側面とほぼ平行となるように配設されている。また、前記下側部５３ｃの自由端にハウジング１１の内側方向に向けて突出する突起状のカード当接部５３ａが形成されている。
【００４２】
ここで、カード１０１がカード用コネクタ１に挿入されていない初期状態において、第２接点部材５３の自由端近傍部、すなわち、第２当接部５３ｄは、第１接点部材５２の自由端近傍部、すなわち、第１当接部５２ｃよりもハウジング１１の内方に位置し、第１当接部５２ｃと離間している。そのため、スイッチはＯＦＦになっている。そして、カード１０１がカード用コネクタ１に挿入されて所定位置にまで到達すると、カード１０１の挿入方向先端の側面が第２接点部材５３のカード当接部５３ａに当接し、第２接点部材５３の自由端をハウジング１１の外方に移動させる。そのため、第２接点部材５３の第２当接部５３ｄが第１接点部材５２の第１当接部５２ｃに当接し、第１接点部材５２と第２接点部材５３とが導通する。これにより、スイッチがＯＮになり、カード用コネクタ１にカード１０１が適切に挿入されたことが検知される。
【００４３】
また、シェル６１は、ガイド部６２及びピン押え部６３を有する。前記ガイド部６２は、シェル６１の一部をハウジング１１の底壁部１１ａの方向に延伸折曲げ加工することによって形成されており、図４に示されるように、シェル６１の天井面から下方に突出するとともに、スライド部材２１のスライド方向、すなわち、前後方向に延在する。そして、前記ガイド部６２は、第１側部１１ｃの内壁と対向してスライド部材２１を案内し、該スライド部材２１がハウジング１１の内側方向に移動しないように規制する。なお、スライド部材２１は、第１側部１１ｃとガイド部６２で規制されているので、前記収容凹部１１ｉを省くこともできる。また、前記ピン押え部６３は、シェル６１の一部をハウジング１１の底壁部１１ａの方向に押圧可能に折曲げ加工することによって形成された板ばね状の部材であり、ピン部材７１は、前記ピン押え部６３とスライド部材２１又はハウジング１１との間に位置し、スライド部材２１又はハウジング１１から離脱しないように保持されている。
【００４４】
以上は、カード１０１がカード用コネクタ１に挿入されていない初期状態であることを中心に説明してきたが、次に、前記構成のカード用コネクタ１の動作について説明する。
【００４５】
まず、カード１０１をカード用コネクタ１に挿入する動作について説明する。この場合、利用者が手指等によってカード１０１をカード用コネクタ１の前方から挿入する。なお、カード１０１は、カード用コネクタ１に対して、図２に示されるような姿勢で挿入される。そして、挿入の初期状態において、カード１０１のコンタクトパッド１５１は、端子５１の接触部５１ｂにまで到達していない。また、カード１０１の係合用凸部１１４は、スライド部材２１のカード係合部としてのカード押圧部２１ｃ及びカードロック部２１ｄと係合していない。なお、スライド部材２１は、ストッパ当接部２１ｆがハウジング１１のストッパ部１１ｇに当接して停止している。さらに、第１接点部材５２と第２接点部材５３とが当接しておらず、検知スイッチはＯＦＦの状態になっている。
【００４６】
続いて、利用者がカード１０１をプッシュしてカード用コネクタ１内に更に押込むと、カード１０１の係合用凸部１１４の前側係合面１１４ａがスライド部材２１のカード押圧部２１ｃに当接する。この場合、利用者の手指等が発揮する押圧力が付勢部材８１の付勢力よりも強いので、スライド部材２１を時計回り方向に回転させる回転モーメントは消滅する。また、厳密には、当初の期間は、カード押圧部２１ｃが係合用凸部１１４の前側係合面１１４ａに当接して押圧されるので、カード保持部２１ａに反時計回り方向に回転させる回転モーメントが生じる。これにより、スライド部材２１全体が反時計回り方向に回転させられ、カード１０１をカード用コネクタ１に挿入する前の初期状態における傾きが元に戻り、カード保持部２１ａの長手方向の軸及びスライドカム部２１ｂの長手方向の軸がハウジング１１の前後方向に平行となる。
【００４７】
また、スライド部材２１の傾きが元に戻る際に、カードロック部２１ｄは、カード１０１の凹部１１２に進入して係合用凸部１１４の後側係合面１１４ｂと係合する。これにより、カード保持部２１ａは、カード押圧部２１ｃとカードロック部２１ｄとが係合用凸部１１４を前後から把持することによってカード１０１を保持した状態となるので、スライド部材２１はカード１０１と一体化して前後方向に移動可能となる。
【００４８】
そして、利用者がカード１０１をプッシュして更に押込むと、該カード１０１は、スライド部材２１とともに、後壁部１１ｂに向けて移動する。この際、利用者の手指等が発揮する押圧力は、カード１０１の係合用凸部１１４からカード押圧部２１ｃを通してスライド部材２１に伝達される。そして、該スライド部材２１がコイルスプリングから成る付勢部材８１を圧縮するので、スライド部材２１及びカード１０１は、付勢部材８１の反発力を受けるが、該反発力が利用者の手指等が発揮する押圧力よりも弱いので、前記反発力に抗して移動する。この場合、スライド部材２１は、第１側部１１ｃの内壁及びシェル６１のガイド部６２によって横方向の移動が規制されてスライドする。そして、スライド部材２１及びカード１０１は、最も前進した位置である終端点に到達してフルストローク状態となる。
【００４９】
なお、カード１０１が終端点に到達するまでの行程の途中において、コンタクトパッド１５１は、端子５１の接触部５１ｂと接触して導通する。また、カード１０１の挿入方向先端の係合用凸部１１４と反対側の側面が第２接点部材５３のカード当接部５３ａに当接し、第２接点部材５３の自由端をハウジング１１の外方に移動させる。そのため、第２接点部材５３の第２当接部５３ｄが第１接点部材５２の第１当接部５２ｃに当接し、第１接点部材５２と第２接点部材５３とが導通する。これにより、スイッチがＯＮになり、カード用コネクタ１にカード１０１が適切に挿入されたことが検知される。
【００５０】
続いて、利用者がカード１０１をプッシュする動作を止め、カード１０１に対する押圧力を解除すると、付勢部材８１の反発力によって、スライド部材２１及びカード１０１は後壁部１１ｂから離脱する向きに移動させられる。そして、スライド部材２１及びカード１０１は、カード用コネクタ１内でカード１０１をロックした状態で保持するロック位置で停止する。これは、スライドカム部２１ｂのカム溝２１ｅと係合しているピン部材７１が、カム溝２１ｅの一部に係止してスライドカム部２１ｂの動きを停止させることによって、スライド部材２１を前記ロック位置で停止させているからである。
【００５１】
そして、カード１０１は、ロック位置に保持されることによって、カード用コネクタ１が取付けられた電子機器の演算手段等との間でデータの送受信を行うことができる状態となる。なお、カード１０１がロック位置に保持されている場合、カード１０１のコンタクトパッド１５１は、端子５１の接触部５１ｂと接触して導通している。そして、第１接点部材５２が第２接点部材５３と当接しているので、検知スイッチはＯＮの状態になっている。
【００５２】
次に、カード１０１をカード用コネクタ１から排出させて取出す動作について説明する。
【００５３】
図５は本発明の実施の形態におけるカム機構の動作を示す第１の図、図６は本発明の実施の形態におけるカム機構の動作を示す第２の図、図７は本発明の実施の形態におけるスライド部材のカード保持部の動作を示す図である。なお、図５（ａ）〜（ｃ）及び図６（ａ）〜（ｄ）はカードを排出する際のカム機構の一連の動作をこま撮りした状態を示し、図７（ａ）は図５（ａ）〜（ｃ）及び図６（ａ）〜（ｃ）においてカード及びスライド部材を下から観た状態を示し、図７（ｂ）は図６（ｄ）においてカード及びスライド部材を下から観た状態を示している。
【００５４】
この場合、利用者が手指等によってカード１０１をプッシュして押込むと、スライド部材２１及びカード１０１は、ロック位置から後壁部１１ｂに向けて移動させられる。そして、利用者がカード１０１をプッシュして更に押込むと、図５（ａ）に示されるように、スライド部材２１及びカード１０１は、最も前進した位置である終端点に到達してフルストローク状態となる。
【００５５】
続いて、利用者がカード１０１をプッシュする動作を止め、カード１０１に対する押圧力を解除すると、付勢部材８１の反発力によって、スライド部材２１及びカード１０１は、後壁部１１ｂから離脱する向きに移動させられ、ロック位置の方向に復帰する。この際、付勢部材８１の反発力は、押圧力となり、カード押圧部２１ｃを通してカード１０１の係合用凸部１１４に伝達される。そして、スライド部材２１がロック位置に到達しても、スライドカム部２１ｂのカム溝２１ｅと係合しているピン部材７１がカム溝２１ｅの一部に係止しないので、スライド部材２１の動きが規制されず、前記ロック位置で停止させられない。そのため、スライド部材２１及びカード１０１は、図５（ｂ）に示されるように、前記ロック位置を通過し、カード１０１の挿入方向と反対の方向に更に移動する。
【００５６】
そして、図５（ｃ）に示されるように、スライド部材２１における後壁部１１ｂと反対側の端部であって第１側部１１ｃの内壁に沿っている部分、具体的には、ストッパ面に形成されている係合突起２１ｇが、第１側部１１ｃの内壁に形成されている膨出部１１ｊに当接する。この場合、該膨出部１１ｊは、コンタクトパッド１５１が端子５１の接触部５１ｂと実際に非接触となった後にスライド部材２１と当接するような部位に配設されているので、コンタクトパッド１５１と端子５１との導通状態は、既に切断されている。また、第１接点部材５２と第２接点部材５３とが非接触となり、検知スイッチは、既にＯＦＦの状態になっている。
【００５７】
スライド部材２１は、膨出部１１ｊと当接することによって減速する。そして、前記スライド部材２１は、付勢部材８１の付勢力によって、図６（ａ）〜（ｃ）に示されるように、膨出部１１ｊと当接しながらも、カード１０１の挿入方向と反対の方向に更に移動させられる。この場合、図７（ａ）に示されるように、スライド部材２１のカード押圧部２１ｃとカードロック部２１ｄとが係合用凸部１１４を前後から把持し続けているので、カード１０１はスライド部材２１と一体化された状態で減速する。
【００５８】
そして、スライド部材２１及びカード１０１は、図６（ｄ）に示されるように、スライド部材２１のストッパ当接部２１ｆがハウジング１１のストッパ部１１ｇに当接することによって停止させられる。一方、スライド部材２１の付勢力受部２１ｉは付勢部材８１の付勢力を受け続けている。そして、前記ストッパ当接部２１ｆと付勢力受部２１ｉとは、オフセットされている。そのため、スライド部材２１を図６（ｄ）において、すなわち、上から観て、時計回り方向に回転させる回転モーメントが発生し、スライド部材２１は、該スライド部材２１が膨出部１１ｊに当接して乗上げることによって形成された、第１側部１１ｃと係合突起２１ｇ間の間隙（げき）を利用して時計回り方向に回転させられ、傾いた状態になる。なお、スライド部材２１がストッパ部１１ｇに当接している状態においては、係合突起２１ｇと係合突起１１ｈとが互いに係合しているので、スライド部材２１がストッパ部１１ｇから離脱してしまうことがない。
【００５９】
図７（ｂ）に示されるように、スライド部材２１が傾動することによって、カードロック部２１ｄが外方へ移動し、該カードロック部２１ｄと係合用凸部１１４の後側係合面１１４ｂとの係合量が少なくなる。これにより、係合用凸部１１４とカード押圧部２１ｃ及びカードロック部２１ｄとの係合状態を解除しやすくなる。そのため、利用者が手指等によってカード１０１を引張ることによりスライド部材２１が図６（ｄ）における時計回り方向に更に回転させられて傾動すると、係合用凸部１１４とカード押圧部２１ｃ及びカードロック部２１ｄとの係合状態が容易に解除され、カード１０１はスライド部材２１から離脱する。したがって、カード１０１は、利用者が手指等によって引張ることにより、大きな力を加えることなく、カード用コネクタ１から容易に取出すことができる。なお、膨出部１１ｊの膨出部高さや付勢部材８１の付勢力等を変更することによって、利用者が手指等によって引張ることなく、スライド部材２１に回転モーメントが作用し、傾動させることも可能である。
【００６０】
このように、本実施の形態において、カード用コネクタ１は、スライド部材２１を案内するガイド面に形成された膨出部１１ｊを有し、スライド部材２１は、カード１０１を排出する際に、膨出部１ｊと当接することによって減速し、ハウジング１１のストッパ部１１ｇと当接することによって停止し、さらに傾動してカード１０１の保持を解除する。
【００６１】
これにより、カード１０１を排出する際に、スライド部材２１が膨出部１１ｊに当接して速度が低下するので、カード１０１が飛出してしまうことがない。また、スライド部材２１が停止するときに衝撃が発生することがない。さらに、利用者が手指等によって引張ることにより、カード１０１を容易に取出すことができる。
【００６２】
また、膨出部１１ｊは、コンタクトパッド１５１が端子５１と非接触となった後にスライド部材２１と当接する部位に形成されている。
【００６３】
そのため、付勢部材８１の付勢力を増強する必要がない。
【００６４】
さらに、スライド部材２１は、ハウジング１１のストッパ部１１ｇと当接することによって停止すると傾動し、カード１０１が引出されることによっても更に傾動してカード１０１の保持を解除する。
【００６５】
そのため、スライド部材２１が停止する際に、カード１０１が飛出してしまうことがなく、かつ、利用者が手指等によって引張ることにより、カード１０１を容易に取出すことができる。
【００６６】
さらに、スライド部材２１は、カード１０１と当接して押圧力を伝達するカード押圧部２１ｃ、カード１０１の凹部１１２と係合するカードロック部２１ｄ、付勢部材８１の付勢力が作用する付勢力受部２１ｉ、及び、ストッパ部１１ｇに当接して挿入方向と反対の方向の移動を停止させるストッパ当接部２１ｆを備え、カード押圧部２１ｃ、カードロック部２１ｄ、付勢力受部２１ｉ及びストッパ当接部２１ｆがスライド部材２１に一体的に形成されるとともに、付勢力受部２１ｉとストッパ当接部２１ｆとがオフセットされている。また、スライドカム部２１ｂもスライド部材２１に一体的に形成されている。
【００６７】
そのため、カード１０１の保持を解除するための機構を別途配設しなくても、カード１０１を排出する際に、スライド部材２１がカード１０１の保持を解放することができる。また、構造が簡素でコストが低く、小型化することができ、カード１０１を容易に取外すことができる。
【００６８】
なお、本発明は前記実施の形態に限定されるものではなく、本発明の趣旨に基づいて種々変形させることが可能であり、それらを本発明の範囲から排除するものではない。
【図面の簡単な説明】
【００６９】
【図１】本発明の実施の形態におけるカード用コネクタのシェルを取除いた状態を示す斜視図である。
【図２】本発明の実施の形態におけるカード用コネクタを示す斜視図である。
【図３】本発明の実施の形態におけるカード用コネクタの構造を示す分解図である。
【図４】本発明の実施の形態におけるカード用コネクタを他の方向から観た状態を示す斜視図である。
【図５】本発明の実施の形態におけるカム機構の動作を示す第１の図である。
【図６】本発明の実施の形態におけるカム機構の動作を示す第２の図である。
【図７】本発明の実施の形態におけるスライド部材のカード保持部の動作を示す図であって、（ａ）は図５（ａ）〜（ｃ）及び図６（ａ）〜（ｃ）においてカード及びスライド部材を下から観た状態を示し、（ｂ）は図６（ｄ）においてカード及びスライド部材を下から観た状態を示す図である。
【図８】従来のカード用コネクタを示す図である。
【符号の説明】
【００７０】
１    カード用コネクタ
１１    ハウジング
１１ａ    底壁部
１１ｂ    後壁部
１１ｃ    第１側部
１１ｄ    第２側部
１１ｅ    端子装填孔
１１ｆ    係止部
１１ｇ    ストッパ部
１１ｈ、２１ｇ、８０３    係合突起
１１ｉ    収容凹部
１１ｊ    膨出部
１１ｋ    ピン係止部
２１、８０１    スライド部材
２１ａ    カード保持部
２１ｂ    スライドカム部
２１ｃ    カード押圧部
２１ｄ    カードロック部
２１ｅ    カム溝
２１ｆ    ストッパ当接部
２１ｈ    付勢部材係止突起
２１ｉ    付勢力受部
５１    端子
５１ａ    本体部
５１ｂ    接触部
５１ｃ    ソルダーテール部
５２    第１接点部材
５２ａ    根本部
５２ｂ    本体部
５２ｃ    第１当接部
５３    第２接点部材
５３ａ    カード当接部
５３ｂ    上側部
５３ｃ    下側部
５３ｄ    第２当接部
６１    シェル
６２    ガイド部
６３    ピン押え部
７１    ピン部材
８１    付勢部材
１０１    カード
１１１    カードハウジング
１１２    凹部
１１３    切欠部
１１４    係合用凸部
１１４ａ    前側係合面
１１４ｂ    後側係合面
１５１    コンタクトパッド
８０２    コイルスプリング
８０４    カードロック部材
８０４ａ    係合部
８０５    窪み
８０６    開口
８０７    カードガイド
８０８    傾斜面
【図１】
2008016391.tif 000003
【図２】
2008016391.tif 000004
【図３】
2008016391.tif 000005
【図４】
2008016391.tif 000006
【図５】
2008016391.tif 000007
【図６】
2008016391.tif 000008
【図７】
2008016391.tif 000009
【図８】
2008016391.tif 000010